【手続補正書】
【提出日】令和2年4月1日(2020.4.1)
【手続補正１】
【補正対象書類名】特許請求の範囲
【補正対象項目名】全文
【補正方法】変更
【補正の内容】
【特許請求の範囲】
【請求項１】
壁部またはフレームなどの静止支持構造体（Ｓ）に固定された扉、シャッタその他の類似物等の閉鎖要素（Ｄ）を、回転可能に動作させおよび／または制御するためのヒンジ装置であって、前記ヒンジ装置は、
前記静止支持構造体（Ｓ）に固定可能な固定要素（１０）と、
前記閉鎖要素（Ｄ）に固定可能な可動要素（１１）であって、前記可動要素（１１）と前記固定要素（１０）とが開位置と閉位置の間で前記第１長手軸（Ｘ）の周囲を回転するように相互に連結されている、可動要素（１１）と、
前記閉位置と開位置の一方に対応する第１端部ストローク位置と、前記閉位置と開位置の他方に対応する第２端部ストローク位置との間で、第２軸（Ｘ）に沿ってスライド可能な少なくとも１つのプランジャ部材（３０）と、を含み、
前記固定要素（１０）と可動要素（１１）の一方は、前記少なくとも１つのプランジャ部材（３０）をスライド可能に収容する、前記第２長手軸（Ｘ）を画定する少なくとも１つの作動チャンバ（２０）を備えており、前記少なくとも１つの作動チャンバ（２０）は少なくとも１つの閉止キャップ（２７）を含んでおり、
前記少なくとも１つの作動チャンバ（２０）は、前記少なくとも１つのプランジャ部材（３０）の前記作用に液圧的に対抗するために前記少なくとも１つのプランジャ部材（３０）に作用する作動流体を含んでおり、前記少なくとも１つのプランジャ部材（３０）は、前記作動チャンバ（２０）を、相互流体連通し且つ好適には隣接している少なくとも１つの第１可変容積コンパートメント（２３）と第２可変容積コンパートメント（２４）とに分割し、前記プランジャ部材（３０）は、前記第１コンパートメント（２３）と前記第２コンパートメント（２４）との間で前記作動流体を流通させ、液圧回路（１００）が設けられており、
前記液圧回路（１００）は、前記少なくとも１つの閉止キャップ（２７）を貫通する少なくとも１つの第１ダクト（１２０）と少なくとも１つの第２ダクト（１５０）とを含み、前記少なくとも１つの第１ダクト（１２０）は、前記作動流体の選択的流通のための少なくとも１つの第１開口（１２１）を備え、前記少なくとも１つの閉止キャップ（２７）は、前記少なくとも１つの第１開口（１２１）と相互作用し、前記少なくとも１つの第１開口（１２１）を常時閉状態に保つバルブ手段（２００）をさらに含み、
前記ヒンジは、前記閉鎖要素（Ｄ）の閉動作中の、前記閉鎖要素（Ｄ）の回転可能な移動および／または制御に適しており、前記プランジャ部材（３０）は、前記閉鎖要素（Ｄ）の開動作中、前記第１コンパートメント（２３）と前記第二コンパートメント（２４）との間で前記作動流体を流通させるように構成されており、前記液圧回路（１００）は、前記閉鎖要素（Ｄ）の閉動作中、前記第１コンパートメント（２３）と前記第二コンパートメント（２４）との間で前記作動流体を流通させるように構成されており、さらに、
前記少なくとも１つの第１ダクト（１２０）と前記少なくとも１つの第２ダクト（１５０）とは、互いに流体的に独立しており、前記バルブ手段（２００）および前記少なくとも１つのプランジャ部材（３０）は、前記作動流体を、前記少なくとも１つの第２ダクト（１５０）のみを流通させるように、前記少なくとも１つのプランジャ部材（３０）の前記閉鎖ストロークの第１部分のために、相互に離隔したままであるよう、また、前記プランジャ部材（３０）の前記ストロークの第２部分のために、前記プランジャ部材が前記バルブ手段（２００）に作用して前記少なくとも１つの第１開口（１２１）を開くような空間的関係であり、その結果、前記少なくとも１つの第１ダクト（１２０）および前記少なくとも１つの第２ダクト（１５０）の両方を流通する前記作動流体が、前記閉位置に向けた前記閉鎖要素（Ｄ）のラッチを促進する、
ヒンジ装置。
【請求項２】
前記バルブ手段（２００）は、前記少なくとも１つの第１開口（１２１）と常時係合する少なくとも１つのストッパ（２１０）を含み、前記少なくとも１つのプランジャ部材（３０）は、その前記ストロークの第２部分の間に、前記少なくとも１つのストッパ（２１０）に作用して、前記少なくとも１つの第１開口（１２１）から前記ストッパを係合解除する、請求項１に記載の装置。
【請求項３】
前記ストッパ（２１０）は、前記少なくとも１つの第１開口（１２１）が閉鎖しているとき、前記第１コンパートメント（２３）および第２コンパートメント（２４）の前記一方に配置できる第１端部分（２１３）を含み、前記第１端部分（２１３）は、前記少なくとも１つのプランジャ部材の前記ストロークの前記第２部分の間に、前記少なくとも１つのプランジャ部材（３０）とさらに相互作用できる、請求項２に記載の装置。
【請求項４】
前記ストッパ（２１０）は、前記少なくとも１つの第１開口（１２１）が閉鎖しているとき、前記少なくとも１つのダクト（１２０）を通して前記第１コンパートメント（２３）および第２コンパートメント（２４）を流体連通状態に維持するチャネル（２１７）を含む、請求項２または３に記載の装置。
【請求項５】
前記チャネル（２１７）は、前記第１端部分（２１３）に、前記第１コンパートメント（２３）および第２コンパートメント（２４）のうちの前記一方と流体連通する第１ポート（２１８）と、前記少なくとも１つのダクト（１２０）と流体連通する第２ポート（２１９）とを含む、請求項３および４に記載の装置。
【請求項６】
前記バルブ手段（２００）は、前記少なくとも１つのストッパ（２１０）に作用する少なくとも１つのスプリング（２０１）を含む、請求項２から５の１つまたは複数の項に記載の装置。
【請求項７】
前記少なくとも１つのダクト（１２０）は、前記バルブ手段（２００）を少なくとも部分的に受容するための座部（１２３）を有し、前記座部（１２３）は前記少なくとも１つの第１開口（１２１）を含み、前記ストッパ（２１０）は、前記座部（１２３）にスライド可能に挿入された、前記第２長手軸（Ｘ）と略平行な第３長手軸（Ｘ’）を画定する長形本体（２１１）を含み、前記長形本体（２１１）は、前記第１端部分（２１３）と、前記座部（１２３）の対応する相補的形状部分（１２４）に連結して前記少なくとも１つの第１開口（１２１）を閉鎖することができる中央成形部分２１２と、前記スプリング（２０１）と相互作用する第２端部分（２１４）とを含む、請求項３から６の１つまたは複数の項に記載の装置。
【請求項８】
前記少なくとも１つの閉止キャップ（２７）は、前記座部（１２３）に対応する少なくとも１つの貫通孔（１２４’）を含み、前記長形本体（２１１）は、前記少なくとも１つの貫通孔（１２４’）に封止的に挿入され、前記少なくとも１つの貫通孔は前記少なくとも１つのスプリング（２０１）をさらに収容する、請求項７に記載の装置。
【請求項９】
前記少なくとも１つの閉止キャップ（２７）は、前記少なくとも１つのダクト（１２０）と相互作用する第１端部（１０４）と、開位置または閉位置に向かう前記閉鎖要素（Ｄ）のラッチ力を調整するように、前記作動流体が通る前記流通断面積を調整するために使用者が外部から操作可能な第２端部（１０５）とを有する少なくとも１つの第１調整要素（１０３）をさらに含む、請求項１から８のいずれか一項に記載の装置。
【請求項１０】
前記少なくとも１つの閉止キャップ（２７）は、前記少なくとも１つの作動チャンバ（２０）内に延在する長形管状壁部（２８）を含み、前記長形管状壁部（２８）は、前記少なくとも１つの閉止キャップ（２７）と一体であり、前記少なくとも１つの作動チャンバ（２０）内の前記少なくとも１つの閉止キャップの挿入が、前記液圧回路（１００）を画定し、前記液圧回路（１００）は、専ら、前記作動チャンバ（２０）と前記長形管状壁部（２８）との間の間隙と、前記少なくとも１つの閉止キャップ（２７）を貫通する前記少なくとも１つのダクト（１２０）とから成る、請求項１から９のいずれか一項に記載の装置。